(57)【要約】【課題】フォークの鋼片支持面に堆積するスケールを効率良く除去する。【解決手段】加熱炉１内の鋼片２を搬送テーブルローラ４に受け渡す加熱炉抽出機１１である。鋼片２を搬送テーブルローラ４に受け渡すべく、所定範囲を往復移動する走行台車１２と、走行台車１２に、基端側を上下方向の回転自在に取り付けたフォーク１３と、フォーク１３を、前記基端側の支点１３ｂを中心として先端側を上下揺動させるべく走行台車１２に設置した揺動装置１４を備える。フォーク１３の先端側上面に形成した鋼片支持面１３ａは、先端側に向かって上り勾配となる傾斜状に形成する。この傾斜状の鋼片支持面１３ａの基端側に、鋼片支持面１３ａの基端側から先端側に向けて高圧流体を吹き出すノズル１５ｃを設置する。【効果】フォークの鋼片支持面に堆積するスケールを効率良く除去でき、鋼片の接触面の面圧が高くならず、鋼片に凹みやスケール疵等の鋼片疵が生じさせない。【選択図】図２
2007284708.tif 000002
【特許請求の範囲】
【請求項１】
加熱炉内の鋼片を、搬送テーブルローラを介して次工程に搬送するに際し、前記鋼片を搬送テーブルローラに受け渡す加熱炉抽出機であって、
前記鋼片を搬送テーブルローラに受け渡すべく、所定の範囲を往復移動する走行台車と、
この走行台車に基端側を上下方向の回転自在に取り付けられたフォークと、
このフォークを、前記基端側の支点を中心として、先端側を上下揺動させるべく前記走行台車に設置された揺動装置を備え、
前記フォークの先端側上面に形成された鋼片支持面は、先端側に向かって上り勾配となる傾斜状に形成され、かつ、この傾斜状の鋼片支持面の基端側に、該鋼片支持面の基端側から先端側に向けて高圧流体を吹き出すノズルを設置したことを特徴とする加熱炉抽出機。
【発明の詳細な説明】
【技術分野】
【０００１】
本発明は、たとえばウォーキングビーム式加熱炉の出側に配置されて、固定ビームから搬送テーブルローラに加熱された鋼片を受け渡す加熱炉抽出機に関するものである。
【背景技術】
【０００２】
図３はウォーキングビーム式加熱炉の出側に配置された従来の加熱炉抽出機を平面方向から見た図、図４は同じく側面方向から見た図である。
ウォーキングビーム１ａのロ字状動作によってウォーキングビーム式加熱炉１内を間欠移動されながら所定温度まで加熱された鋼片２は、加熱炉１の出側で加熱炉抽出機３によって固定ビーム１ｂから搬送テーブルローラ４に受け渡され、炉外に取り出される。
【０００３】
この鋼片２の受け渡しに使用される加熱炉抽出機３は、鋼片２を保持するフォーク３ａと、このフォーク３ａの昇降装置３ｂと、これらフォーク３ａ及び昇降装置３ｂを、前記固定ビーム１ｂの出側と搬送テーブルローラ４間を移動させる走行台車３ｃを備えた構成である。なお、図４中の３ｄはフォーク３ａの昇降を案内するガイドである。
【０００４】
そして、抽出命令によって、固定ビーム１ｂの出側にある鋼片２を搬送テーブルローラ４に受け渡す場合は、先ず走行台車３ｃを駆動して固定ビーム１ｂに接近させ、上面が搬送テーブルローラ４の天端より下方に位置した下限位置にあるフォーク３ａを前記鋼片２の下方に位置させる。
【０００５】
次に、昇降装置３ｂを駆動してフォーク３ａを前記下限位置から上昇させ、固定ビーム１ｂ上の鋼片２をフォーク３ａで受け取る。その後は、走行台車３ｃを後退し、フォーク３ａを下降させ、前記受け取った鋼片２を搬送テーブルローラ４上に載せる。搬送テーブルローラ４に受け渡された鋼片２は、搬送テーブルローラ４にて炉外に取り出され、次工程に搬送される。
【０００６】
このような加熱炉抽出機３を用いた鋼片２の炉外への取り出しに際し、加熱中に発生した鋼片２のスケール５が、フォーク３ａの上面に付着する。また、鋼片２を炉外に搬送する際に鋼片２から剥離したスケール５が落下し、搬送テーブルローラ４の下方に待機中のフォーク３ａの上面に堆積する。
【０００７】
そして、抽出操業を繰り返すことにより、フォーク３ａの上面に堆積したスケール５は頂点が鋭角の山状となるので、この堆積したスケール５上に鋼片２を載せると鋼片２の接触面の面圧が高くなって鋼片２に凹みやスケール疵等の鋼片疵が生じ、製品の品質欠陥の原因となる。従って、スケール５の堆積が著しいときは、操業停止時に、作業員がスケール清掃を行っているが、これが辛労の１つとなっている。
【０００８】
また、最近では、高生産性を狙って、鋼片の単位重量を大きくするいわゆる大単重化が実施されるようになり、フォークの強度向上を図るためにフォークの幅が広くなっているので、スケール堆積の点を考えると、ますます悪化する傾向になってきている。
【０００９】
そこで、上記の問題を解決することを目的として、待機位置にあるフォークと搬送テーブルローラとの間にノズルを配置し、高圧流体をフォークの側方から吹きつけるものが、特許文献１で開示されている。
【特許文献１】実開平６−８６８０２号公報
【発明の開示】
【発明が解決しようとする課題】
【００１０】
しかしながら、特許文献１で開示されたものは、ノズルがフォークと搬送テーブルローラとの間に配置されてフォークから離れており、しかもフォークの側方から高圧流体を吹き付けているので、効率的なスケール除去が困難であるという問題があった。
【００１１】
本発明が解決しようとする課題は、従来は、加熱炉抽出機のフォーク上面に堆積したスケールを効率良く除去できるものはなかったという点である。
【課題を解決するための手段】
【００１２】
本発明の加熱炉抽出機は、
フォーク上面の鋼片支持面に堆積したスケールを効率良く除去するために、
加熱炉内の鋼片を、搬送テーブルローラを介して次工程に搬送するに際し、前記鋼片を搬送テーブルローラに受け渡す加熱炉抽出機であって、
前記鋼片を搬送テーブルローラに受け渡すべく、所定の範囲を往復移動する走行台車と、
この走行台車に基端側を上下方向の回転自在に取り付けられたフォークと、
このフォークを、前記基端側の支点を中心として、先端側を上下揺動させるべく前記走行台車に設置された揺動装置を備え、
前記フォークの先端側上面に形成された鋼片支持面は、先端側に向かって上り勾配となる傾斜状に形成され、かつ、この傾斜状の鋼片支持面の基端側に、該鋼片支持面の基端側から先端側に向けて高圧流体を吹き出すノズルを設置したことを特徴としている。
【発明の効果】
【００１３】
本発明は、先端側が上り勾配となる傾斜状に形成された鋼片支持面の基端側から高圧流体を吹き出すので、吹き出された高圧流体は鋼片支持面に沿ってフォーク上面の鋼片支持面に堆積するスケールを鋼片支持面の先端側に吹き飛ばすことにより、効率良くスケールを除去することができる。従って、鋼片の接触面の面圧が高くならず、鋼片に凹みやスケール疵等の鋼片疵が生じることがなくなる。また、作業員によるスケール除去作業を著しく軽減することができる。
【発明を実施するための最良の形態】
【００１４】
以下、本発明を実施するための最良の形態について、図１及び図２を用いて詳細に説明する。
図１はウォーキングビーム式加熱炉の出側に配置された本発明の加熱炉抽出機を平面方向から見た図、図２は同じく側面方向から見た図である。
【００１５】
図１及び図２において、１１は本発明の加熱炉抽出機であり、以下のような構成である。
１２は走行台車であり、たとえばウォーキングビーム式加熱炉１で加熱された鋼片２を次工程に搬送する際、前記鋼片２を炉外に取り出す搬送テーブルローラ４に受け渡すべく、所定の範囲を往復移動する。なお、この走行台車１２は自走式であっても、遠隔操作によるものであっても良い。
【００１６】
１３は前記鋼片２を搬送テーブルローラ４に受け渡す際、その先端側上面に形成された鋼片支持面１３ａで鋼片２を受け取るフォークである。そして、このフォーク１３は、前記走行台車１２に基端側を上下方向の回転自在に取り付けられ、走行台車１２に設置されたたとえばシリンダなどの揺動装置１４により、前記基端側の支点１３ｂを中心として、先端側を上下揺動するようになっている。
【００１７】
また、このフォーク１３の前記鋼片支持面１３ａは、先端側に向かって上り勾配となる傾斜状に形成され、フォーク１３が鋼片２を受け取って上方へ揺動した後、走行台車１２が後退する際に鋼片２が鋼片支持面１３ａから先端側に落下しないような構造となっている。
【００１８】
１５は前記フォーク１３の先端部上面に形成された鋼片支持面１３ａの基端側に設置されたスケール除去装置である。図１及び図２の例では、固定配管１５ａ及びフレキシブル配管１５ｂを介して前記基端側に加工されたノズル１５ｃに高圧流体を供給し、このノズル１５ｃから鋼片支持面１３ａの先端側に向けて高圧流体を吹き出すようになっている。
【００１９】
本発明の加熱炉抽出機１１は上記のような構成であり、通常、フォーク１３は搬送テーブルローラ４の下方に待機している。そして、加熱炉抽出指令により前進、上方への揺動、後退及び下方への揺動の運動を行い，炉内の鋼片２を搬送テーブルローラ４に受け渡す。
【００２０】
この受け渡しや搬送テーブルローラ４による炉外への取り出しに際し、フォーク１３の鋼片支持面１３ａにはスケールが落下する。
しかしながら、本発明の加熱炉抽出機１１では、鋼片支持面１３ａの基端側にノズル１５ｃを設けているので、ノズル１５ｃから噴射された高圧流体は、鋼片支持面１３ａに沿ってその先端側に導かれる。
【００２１】
従って、フォーク１３が下方に揺動された位置、すなわち鋼片支持面１３ａが水平、あるいは鋼片支持面１３ａを先端側に傾斜させた状態で、鋼片支持面１３ａに落下したスケールを、鋼片支持面１３ａの先端側に効率良く吹き飛ばすことができ、フォーク１３の鋼片支持面１３ａにスケールが堆積しない。
【００２２】
この際、ノズル１５ｃから高圧流体を常時吹き出しておいてもよい。また、フォーク１３の前進と同時に高圧流体を吹き出すようにしてもよい。この場合、固定配管１５ａに電動バルブを設置し、抽出指令と同時にこの電動バルブを開くようにすればよい。
【００２３】
本発明は上記の例に限らず、各請求項に記載された技術的思想の範囲内で、適宜実施の形態を変更しても良い。たとえば、ノズル１５ｃは鋼片支持面１３ａの基端側を加工したものでなくても、製作されたノズルを取り付けたものでも良い。
【産業上の利用可能性】
【００２４】
本発明の加熱炉抽出機は、ウォーキングビーム式加熱炉からの取り出し時の受け渡しに限らず、同様の受け渡しを行うものであれば、どのような熱処理炉の抽出機にも適用できる。
【図面の簡単な説明】
【００２５】
【図１】ウォーキングビーム式加熱炉の出側に配置された本発明の加熱炉抽出機を平面方向から見た図である。
【図２】ウォーキングビーム式加熱炉の出側に配置された本発明の加熱炉抽出機を側面方向から見た図である。
【図３】ウォーキングビーム式加熱炉の出側に配置された従来の加熱炉抽出機を平面方向から見た図である。
【図４】ウォーキングビーム式加熱炉の出側に配置された従来の加熱炉抽出機を側面方向から見た図である。
【符号の説明】
【００２６】
１    ウォーキングビーム式加熱炉
２    鋼片
４    搬送テーブルローラ
１１    加熱炉抽出機
１２    走行台車
１３    フォーク
１３ａ    鋼片支持面
１３ｂ    支点
１４    揺動装置
１５    スケール除去装置
１５ｃ    ノズル
【図１】
2007284708.tif 000003
【図２】
2007284708.tif 000004
【図３】
2007284708.tif 000005
【図４】
2007284708.tif 000006